(57)【要約】【課題】透光性シリンダと直菅ランプと弾性キャップとが一体化でき、直菅ランプと透光性シリンダとの隙間を小さくくできる直菅ランプ用シリンダユニッを供給することにある。【解決手段】直菅ランプ１の両端に取付けられる略筒状の弾性キャップ２と、直管ランプ１を覆い弾性キャップ２に取付けられる略筒状の透光性シリンダ３と、を備えたシリンダユニットにおいて、弾性キャップ１の内周面側に、透光性シリンダ３端部の外周面が嵌め込まれて透光性シリンダ３を固定する透光性シリンダ装着部２ａと、この透光性シリンダ装着部２ａに対して直菅ランプ１の軸芯方向に凸設され直菅ランプ１の外周に当接して透光性シリンダ装着部２ａを支持する突起部２ｂと、を設けたことを特徴とする。【選択図】        図１
2005026025.tif 000002
【特許請求の範囲】
【請求項１】
直菅ランプの両端に取付けられる略筒状の弾性キャップと、前記直管ランプを覆い前記弾性キャップに取付けられる略筒状の透光性シリンダと、を備えたシリンダユニットにおいて、前記弾性キャップの内周面側に、前記透光性シリンダ端部の外周面が嵌め込まれて前記透光性シリンダを固定する透光性シリンダ装着部と、この透光性シリンダ装着部に対して前記直菅ランプの軸芯方向に凸設され直菅ランプの外周に当接して前記透光性シリンダ装着部を支持する突起部と、を設けたことを特徴とするシリンダユニット。
【請求項２】
前記透光性シリンダと前記弾性キャップとは、前記突起部の側壁に前記透光性シリンダの端面が当接することにより相互の位置が決まるものであることを特徴とする請求項１記載のシリンダユニット。
【請求項３】
前記突起部を直菅ランプのガラス面に当接するように設けたことを特徴とする請求項２記載のシリンダユニット。
【請求項４】
前記弾性キャップは前記直菅ランプの口金部とガラス管部とを覆うものであり、前記突起部を直菅ランプのガラス面に当接するように設けるとともに、前記弾性キャップの内周面に直菅ランプの口金の外周に当接する口金当接部を設けたことを特徴とする請求項３記載のシリンダユニット。
【請求項５】
前記透光性シリンダ装着部に嵌め込まれた透光性シリンダの外周面と透光性シリンダ装着部との摩擦力は、前記突起部が直菅ランプの外周面に当接する突起部摩擦力と前記口金当接部が直菅ランプの外周面に当接する口金当接部摩擦力とを合わせた摩擦力よりも大きいものであることを特徴とする請求項４記載のシリンダユニット。
【請求項６】
前記口金当接部の基端より軸方向外側に前記口金当接部より内径の大きい筒状の巻き込み防止部を延設したことを特徴とする請求項５記載のシリンダユニット。
【請求項７】
前記弾性キャップは、透光性シリンダよりも耐熱性の高い部材で形成され、前記突起部を前記直菅ランプのフィラメントの位置よりも軸方向中央側に設けたことを特徴とする請求項４乃至６記載のシリンダユニット。
【請求項８】
直菅ランプに請求項２乃至７記載のシリンダユニットを装着し、さらにこれらを防水ソケットに装着した照明装置であって、前記防水ソケットは、外部からの水の浸入を防止するリング状の挿通締付け部を有し、この挿通締付け部に前記弾性キャップが挿通され、前記挿通締付け部の内径が小さくなることによって、前記挿通締付け部が前記弾性キャップの外周面に密着して前記挿通締付け部と前記弾性キャップとの防水がとれるものであることを特徴とする照明装置。
【請求項９】
前記防水ソケットの挿通締付け部は、前記弾性キャップの突起部と口金当接部の間を締付けるものであることを特徴とする請求項８記載の照明装置。
【発明の詳細な説明】
【０００１】
【発明の属する技術分野】
本発明は、例えば、直菅ランプを保護することや、直菅ランプを保温することに使用されるシリンダユニット及びこれを備えた照明装置に関する。
【０００２】
【従来の技術】
直菅ランプを保護する照明装置としては、実開平４−５０８５号公報に開示されたものがあり、図９はこのものの要部側面図、図１０はソケットにソケットホルダを装着したときの斜視図、図１１はソケットの斜視図である。このものは、両端に口金を有した直菅ランプ１と、直菅ランプ１の両側の口金に装着される合成樹脂で形成されたソケット５と、直菅ランプ１を覆いこのソケット５の周囲に装着される長円筒状の透光性シリンダ３と、ソケット５を係脱自在に係合する係合部７ｊを有したソケットホルダ７と、を備えて構成されている。
【０００３】
ここでソケット５は、有底筒状に形成され、その開口部分の内側に直菅ランプ１の口金が装着されるランプ口金装着部が形成されている。また、有底筒状をなした外周開口側には、透光性シリンダ３の端部内周面と嵌合して透光性シリンダ３が装着されるシリンダ装着部５ｋが形成されている。さらに有底筒状をなした外周の底側には、ソケットホルダ７の係合部７ｊに装着される被係合部５ｊが形成されている。
【０００４】
次に、直菅ランプ１の装着の手順を説明する。ここではソケットホルダ７は、取付け基材１０に固定されており、ソケット５は、点灯装置と配線されているものとして説明する。装着の手順は、透光性シリンダ３の中に直菅ランプ１を挿入し、この両端よりソケット５を挿入する。このときソケット５を直菅ランプ１の口金に取付け、さらに透光性シリンダ３をソケット５の筒状のシリンダ装着部５ｋに装着する操作を同時に行なう。これにより直菅ランプ１とソケット５と透光性シリンダ３とが一体となる。さらに、この状態でソケット５の被係合部５ｊをソケットホルダ７の係合部７ｊに係合することで装着が完了する。
【０００５】
このものは、前記した手順で直菅ランプ１を装着することにより、直菅ランプ１を保護すること、あるいは、直菅ランプ１を保温することができるものとなる。
【０００６】
次に、このものとは別のものとして、すでに市販されているシリンダユニットを図１２の分解斜視図及び図１３の要部断面図を用いて説明する。このものは、口金１ａを有する直管ランプ１の両端に取付けられる略筒状の弾性キャップ２と、直管ランプ１を覆い両端が弾性キャップ２に取付けられる略筒状の透光性シリンダ３と、を備えて構成されている。
【０００７】
弾性キャップ２は、略筒状の内周に直菅ランプ１の両端部分に嵌め込まれる嵌合部２ｈと、この嵌合部２ｈよりも外側に嵌合部２ｈと同軸状に形成された透光性シリンダ３の端部の内周面に嵌め込まれる装着部２ａと、透光性シリンダ３が装着されたときに装着部２ａが内側に撓んで挿入性と密着性をよくするように設けられた撓み空間２ｍと、を備えている。
【０００８】
このものは、透光性シリンダ３に直菅ランプ１を挿入し、さらに直菅ランプ１の両端より弾性キャップ２を取付けることにより、透光性シリンダ３と直菅ランプ１と弾性キャップ２とが一体となったシリンダ付きランプとなる。
【０００９】
このものは、前記したように透光性シリンダ３により、直菅ランプ１を保護すること、あるいは、直菅ランプ１を保温することができるものとなる。さらに透光性シリンダ３と直菅ランプ１と弾性キャップ２とを一体とでき、これを持ち運ぶことができるものとなるので、透光性シリンダ３の直菅ランプ１への取付けを例えば直菅ランプ１の製造工場などで行い、シリンダユニットとして、所望の施工現場で取り付けができるものとなる。さらに透光性シリンダ３が装着されたシリンダ付きランプとして直菅ランプ１を扱うことができるので、ランプ破損などを少なくできるものとなる。
【００１０】
【特許文献１】
実開平４−５０８５号公報
【００１１】
【発明が解決しようとする課題】
ところで、直菅ランプ１としては、近年、ＨｆランプやＴ５ランプなど細い菅径のものが使用される割合が多くなっている。このような直菅ランプを使用する場合は、意匠性の観点からもこれを覆う透光性シリンダ３は、細いものが望ましく、特に、透光性シリンダ３が着色されている場合には、より有用なものとなる。
【００１２】
ところが、図９〜図１１を用いて説明した照明装置は、直菅ランプ１と透光性シリンダ３との間に合成樹脂で形成された筒状のシリンダ装着部５ｋが介在している上に、この筒状のシリンダ装着部５ｋは、直菅ランプ１を装着の際にその口金が当たる部分でもあるので、合成樹脂の割れなどを考慮するとある程度の厚みを確保することが必要であり、それゆえ直菅ランプ１と透光性シリンダ３との隙間を小さくすることは難しいものとなっていた。
【００１３】
また、図１２、図１３を用いて説明したシリンダユニットについては、直菅ランプ１の両端部分が嵌め込まれる嵌合部２ｈと、透光性シリンダ３の端部の内周面に嵌め込まれる装着部２ａと、撓み空間２ｍと、が直菅ランプ１と透光性シリンダ３との間に介在しており、これら３つを合わせた厚さが必要であり、この厚みを小さくすることには、限界があった。
【００１４】
また、透光性シリンダ３は、演色、捕虫、防虫、保温、保護、育苗、などさまざまな用途があり、途中、透光性シリンダ３の劣化や時期的なものによる対象の変化などにより透光性シリンダ３交換をする場合がある。このさいは、図１２、図１３を用いて説明したもののように透光性シリンダ３と直菅ランプ１と弾性キャップ２とを一体とでき、このままでソケットからの着脱ができるものの方が、一体となったものを別の場所に運んで直管ランプ１や透光性シリンダ３の交換ができるので、とくに高所などの場合、その作業性がよいものであった。
【００１５】
本発明は、上記事由に鑑みてなしたもので、その目的とするところは、透光性シリンダと直菅ランプと弾性キャップとが一体化でき、直菅ランプと透光性シリンダとの隙間を小さくくできるシリンダユニット及びこれを備えた照明装置を供給することにある。
【００１６】
【課題を解決するための手段】
請求項１に係る発明のシリンダユニットは、直菅ランプの両端に取付けられる略筒状の弾性キャップと、前記直管ランプを覆い前記弾性キャップに取付けられる略筒状の透光性シリンダと、を備えたシリンダユニットにおいて、前記弾性キャップの内周面側に、前記透光性シリンダ端部の外周面が嵌め込まれて前記透光性シリンダを固定する透光性シリンダ装着部と、この透光性シリンダ装着部に対して前記直菅ランプの軸芯方向に凸設され直菅ランプの外周に当接して前記透光性シリンダ装着部を支持する突起部と、を設けたことを特徴とする。
【００１７】
請求項２に係る発明のシリンダユニットは、請求項１において、前記透光性シリンダと前記弾性キャップとは、前記突起部の側壁に前記透光性シリンダの端面が当接することにより相互の位置が決まるものであることを特徴とする。
【００１８】
請求項３に係る発明のシリンダユニットは、請求項２において、前記突起部を直菅ランプのガラス面に当接するように設けたことを特徴とする。
【００１９】
請求項４に係る発明のシリンダユニットは、請求項３において、前記弾キャップは前記直菅ランプの口金部とガラス管部とを覆うものであり、前記突起部を直菅ランプのガラス面に当接するように設けるとともに、前記弾性キャップの内周面に直菅ランプの口金の外周に当接する口金当接部を設けたことを特徴とする。
【００２０】
請求項５に係る発明のシリンダユニットは、請求項４において、前記透光性シリンダ装着部に嵌め込まれた透光性シリンダの外周面と透光性シリンダ装着部との摩擦力は、前記突起部が直菅ランプの外周面に当接する突起部摩擦力と前記口金当接部が直菅ランプの外周面に当接する口金当接部摩擦力とを合わせた摩擦力よりも大きいものであることを特徴とする。
【００２１】
請求項６に係る発明のシリンダユニットは、請求項５において、前記口金当接部の基端より軸方向外側に前記口金当接部より内径の大きい筒状の巻き込み防止部を延設したことを特徴とする。
【００２２】
請求項７に係る発明のシリンダユニットは、請求項４乃至６のいずれかにおいて、前記弾性キャップは、透光性シリンダよりも耐熱性の高い部材で形成され、前記突起部を前記直菅ランプのフィラメントの位置よりも軸方向中央側に設けたことを特徴とする。
【００２３】
請求項８に係る発明の照明装置は、直菅ランプに請求項２乃至７記載のシリンダユニットを装着し、さらにこれらを防水ソケットに装着した照明装置であって、前記防水ソケットは、外部からの水の浸入を防止するリング状の挿通締付け部を有し、この挿通締付け部に前記弾性キャップが挿通され、前記挿通締付け部の内径が小さくなることによって、前記挿通締付け部が前記弾性キャップの外周面に密着して前記挿通締付け部と前記弾性キャップとの防水がとれるものであることを特徴とする。
【００２４】
請求項９に係る発明のシリンダユニットは、請求項８において、前記防水ソケットの挿通締付け部は、前記弾性キャップの突起部と口金当接部の間を締付けるものであることを特徴とする。
【００２５】
【発明の実施の形態】
（第１の実施の形態）
本発明の請求項１〜６に対応した第１の実施の形態を図１を用いて説明する。図１は直菅ランプにシリンダユニットが取付けられた図で、一部を切り欠いた側面図である。
【００２６】
このシリンダユニットは、略筒状をなし直管ランプ１の両端部分に取付けられる弾性キャップ２と、直管ランプ１を覆い直管ランプ１の両端に取付けられた弾性キャップ２に取付けられる略筒状の透光性シリンダ３と、を備えて構成されている。
【００２７】
透光性シリンダ３は、直管ランプ１から放出された光が透過する透光性材料により形成されている。その形状は、長円筒状であり、詳しくは直管ランプ１の長さよりも短く、直管ランプ１の外径よりも少し大きな内径をもったものとなっている。ここでは、直管ランプ１の外径よりも３ｍｍ程度大きな内径をもち、さらに直管ランプ１のガラス管部分の長さより１ｃｍ程度短いものとなっている。
【００２８】
弾性キャップ２は、例えばシリコンゴムなどにより略円筒状に形成され、その内周面には、透光性シリンダ３の端部の外周面が嵌め込まれる透光性シリンダ装着部２ａと、直菅ランプ１の外周に当接して直管ランプ１に弾性キャップ２を取り付ける突起部２ｂと、直菅ランプ１の口金の外周に当接する口金当接部２ｃと、巻き込み防止部２ｄと、が設けられている。
【００２９】
透光性シリンダ装着部２ａは、透光性シリンダ３の端部を覆うように設けられている。そして、透光性シリンダ３がこの透光性シリンダ装着部２ａに嵌め込まれて透光性シリンダ３が固定されたときは、透光性シリンダ３の外周面と透光性シリンダ装着部２ａとの摩擦力が所定の値となるようにその内径や透光性シリンダ３を覆う部分の面積が設定されている。
【００３０】
突起部２ｂは、弾性キャップ２の内周面に設けられたものであり、透光性シリンダ装着部２ａの装着面に対して直菅ランプ１の軸芯方向に凸出したリブ状をなしている。突起部２ｂの内径は、透光性シリンダ３と直菅ランプ１との間に隙間が確保できるように、透光性シリンダ３の内径より小さい径となっている。さらに突起部２ｂは、透光性シリンダ装着部２ａより口金側であって直菅ランプ１のガラス面に当接する位置に設けられている。具体的には突起部２ｂは、透光性シリンダ装着部２ａと連続して設けられており、突起部２ｂと透光性シリンダ装着部２ａとは略Ｌ字状をなすように形成されている。これにより突起部２ｂは、透光性シリンダ３の端面近傍から直管ランプ１の外周に当接するものとなる。従って、突起部２ｂの側壁には透光性シリンダ３の端面が当接するものとなる上に、突起部２ｂは、その先端が直菅ランプ１のガラス面に当接して直管ランプ１に弾性キャップ２を取付けるものとなるとともに、直菅ランプと透光性シリンダとの間の隙間に介在しないで透光性シリンダ装着部２ａを支持するものとなる。これにより透光性シリンダ装着部２ａに固定された透光性シリンダ３の位置が決まり、ひいては透光性シリンダ３と直菅ランプ１との隙間が決まるものとなる。
【００３１】
口金当接部２ｃは、弾性キャップ２の内周面にリブ状に設けられたものである。そして、口金当接部２ｃは、口金の周囲全てに当接しており、直菅ランプ１のガラス面より放出された光が外部に漏れないように形成されている。
【００３２】
巻き込み防止部２ｄは、口金当接部２ｃの基端より軸方向外側に延設された筒状のものであり、口金当接部２ｃより内径の大きいものとなっている。
ここで透光性シリンダ装着部２ａに嵌め込まれた透光性シリンダ３の外周面と透光性シリンダ装着部２ａとの摩擦力は、突起部２ｂが直菅ランプ１の外周面に当接する突起部摩擦力と、口金当接部２ｃが直菅ランプ１の外周面に当接する口金当接部摩擦力と、を合わせた摩擦力よりも大きいものとなるように設定されている。
【００３３】
次に、このシリンダユニットの直菅ランプ１への取付けを説明する。ここで、直菅ランプ１は、口金の外周よりもガラス管の外周の方が大きい一般的なもので説明を行なう。まず、弾性キャップ２を透光性シリンダ３の外周面に取付ける。すなわち透光性シリンダ装着部２ａに透光性シリンダ３の端部の外周面を嵌め込む。このとき透光性シリンダ３の端面が弾性キャップ２の突起部２ｂの側壁に当接することで弾性キャップ２が透光性シリンダ３に適正に取付けられたことがわかる。これにより透光性シリンダ３と弾性キャップ２との相互の位置が決まる。なお、図１には示されていないが、他方の弾性キャップ２の取付けも同様にして行なう。このようにして透光性シリンダ３の両端に弾性キャップ２が取付けられ、透光性シリンダ３と弾性キャップ２とが一体となる。
【００３４】
次に、この状態でランプ１を挿入する。ランプ１は片側の弾性キャップ２より挿入されるが、このとき直菅ランプ１のガラス面は、口金当接部２ｃの先端を擦りながら進んで行く。従って、口金当接部２ｃは、内側に巻き込まれるようになるが、巻き込み防止部２ｄによりこれが阻止されるので、口金当接部２ｃと直菅ランプ１のガラス面との間に生じる口金当接部摩擦力は適正に維持される。よって、直菅ランプ１は、口金当接部摩擦力と、これと同様に突起部２ｂの先端と直菅ランプ１のガラス面との間に生じる突起部摩擦力と、を合わせた所定の摩擦力以上の力で挿入すればよいものとなる。さらに、直菅ランプ１が反対側の弾性キャップ２に到達したさいにも、直菅ランプ１のガラス面が、突起部２ｂの先端と、口金当接部２ｃの先端と、を擦りながら進んで行くことになる。このときは突起部摩擦力と口金当接部摩擦力とにより弾性キャップ２が透光性シリンダ３より外れようとするが、前記したように、透光性シリンダ３の外周面と透光性シリンダ装着部２ａとの摩擦力は、突起部摩擦力と口金当接部摩擦力とを合わせた摩擦力より大きなものとなっているので弾性キャップ２が透光性シリンダ３より外れることなく直菅ランプ１を挿入できるものとなる。
【００３５】
なお、図１のように正規の位置にシリンダユニットが取付けられる直前には、直菅ランプ１の挿入側の口金当接部２ｃが径の大きなガラス面から径の小さな口金面に移動するが、このガラス面から口金面に移るときに、口金当接部２ｃはガラス面に当接していたときの撓り状態から急に開放されるので音やクリック感が発生する。従って、シリンダユニットが適正に装着されたことが実感としてわかるものとなる。また、突起部２ｂと口金当接部２ｃとがリブ状のものであるので、突起部摩擦力と口金当接部摩擦力とは、大きなものとならず比較的スムーズに直菅ランプ１が挿入できるものとなる。
【００３６】
このように直菅ランプ１に装着されたシリンダユニットは、直菅ランプ１と透光性シリンダ３と弾性キャップ２とが一体化されたものとなる。このとき透光性シリンダ装着部２ａに対して直菅ランプ１の軸芯方向に凸設され直菅ランプ１の外周に当接して透光性シリンダ装着部２ａを支持する突起部２ｂにより透光性シリンダ３と直菅ランプとの隙間が決まるものとなる。そして、この状態においては直菅ランプ１と透光性シリンダ３の間の隙間には、介在するものが何もない状態で取付けられるものとなる。
【００３７】
さらに直菅ランプ１を点灯させたときは、口金の周囲全てに当接している口金当接部２ｃにより、直菅ランプ１のガラス面より放出された光が外部に漏れないものとなる。なお、このものにおける直菅ランプ１の交換は、透光性シリンダ３から弾性キャップ２を外すことなく行なえるものとなる。また、必要に応じて透光性シリンダ３の交換もできるものとなる。
【００３８】
この実施の形態によると、弾性キャップ２の内周面に、透光性シリンダ３の端部の外周面が嵌め込まれて透光性シリンダ３が固定される透光性シリンダ装着部２ａと、この透光性シリンダ装着部２ａに対して直菅ランプ１の軸芯方向に凸設され直菅ランプ１の外周に当接して透光性シリンダ装着部２ａを支持する突起部２ｂと、を設けたことにより、突起部２ｂにより弾性キャップ２が直管ランプ１に取付けられるとともに透光性シリンダ装着部２ａを所定に位置に支持するものとなるので、透光性シリンダ３と直菅ランプ１と弾性キャップ２とが一体化できるうえに直菅ランプ１と透光性シリンダ３との隙間に弾性キャップ２を介さないで取れ付けられるものとなり直菅ランプ１と透光性シリンダ３との隙間を小さくくできるものとなる。
【００３９】
また、透光性シリンダ３と弾性キャップ２とは、突起部２ｂの側壁に透光性シリンダ３の端面が当接することにより相互の位置が決まるので透光性シリンダ３を弾性キャップ２に取り付けるさいの装着感の向上が図れるとともに、透光性シリンダ３と弾性キャップ２とを一体にしたときの全体の寸法を所定のものとすることができる。
【００４０】
また、突起部２ｂを直菅ランプ１のガラス面に当接するように設けたことにより、口金部の外周よりもガラス管部の外周の方が大きな一般的な直菅ランプ１の挿入が行いやすいものとできる。仮に、口金部に突起部２ｂを設けていると内径をガラス管部に当接させるときよりも小さくする必要があり、前記した突起部摩擦力が大きなものとなってしまう。なお、口金当接部２ｃについては、光漏れを防ぐためのものであるので口金と触れるか触れないか程度の当接力でよいのでその摩擦力は、さほど大きなものとはならない。
【００４１】
次に、第１の実施の形態の応用例を説明する。図２は、第１の応用例で図１を用いて説明した弾性キャップ２を簡素化したものであり、図１のものに対して口金当接部２ｃを省いたものである。このものは直菅ランプ１からの光漏れが問題とならない用途に適している。図３は第２の応用例で、図１を用いて説明した弾性キャップ２を簡素化したものである。すなわち図１のものに対して巻き込み防止部２ｄを省いたものである。このものは口金当接部２ｃの口金当接部摩擦力が小さく口金当接部２ｃの巻き込みが起こらない場合に有用となる。
【００４２】
次に、請求項７に対応した第３の応用例を図４〜図６を用いて説明する。図４は、シリンダユニットが直菅ランプに取付けられたときの一部を切り欠いた側面図、図５はシリンダユニットを直菅ランプに取付けるときの図で、図５（ａ）のものは取付け過程の斜視図、図５（ｂ）のものは取付け完了状態における斜視図である。また、図６は弾性キャップの斜視図を示す。
【００４３】
このものは、図１を用いて説明した弾性キャップ２の形状を変えたものであり、突起部２ｂを直菅ランプ１のフィラメントの位置よりも軸方向中央側に設けている。さらに、弾性キャップ２を透光性シリンダ３よりも耐熱性の高い部材、例えばシリコン樹脂で形成している。これにより直菅ランプ１の寿命末期などにフィラメントの温度が上昇しても熱に弱い透光性シリンダ３には熱が加わりにくいものとなる。なお、この場合において弾性キャップ２は、不透過材を使用した透光性のものとしてもかまわない。この場合は、直菅ランプ１から放出される光が弾性キャップ２で遮られることがなくなるので効率のよいものとなる。
【００４４】
なお、口金当接部２ｃは必ずしも直菅ランプ１からの光漏れを防ぐものである必要はない。むしろ口金当接部２ｃは、突起部２ｂとの間の弾性キャップ２の内周面が直菅ランプ１と触れないような働きをするので、直菅ランプ１へシリンダユニットを装着するさいの滑りを良くするものとなるので、その装着性を向上できるものとなる。
【００４５】
（第２の実施の形態）
本発明の請求項８に対応した第２の実施の形態を図７を用いて説明する。図７はシリンダユニットと直菅ランプとを防水ソケットに装着した照明装置の一部を切り欠いた側面図である。このものにおいてシリンダユニットと直菅ランプとは、図１を用いて説明したものと同じものを使用している。防水ソケット６は、ソケットキャップ６ｃと、この内周面側に設けられた締付け当接部６ｂｘを有した防水ソケット本体６ｂと、防水ソケット本体６ｂと弾性キャップ２の間に設けられたパッキン６ａと、を備えて構成されている。
【００４６】
防水ソケット本体６ｂは、合成樹脂などで有底円筒状に形成され、その外周面先端側にはネジ山が設けられている。ソケットキャップ６ｃは、合成樹脂などでリング状に形成されている。そして、その内周には防水ソケット本体６ｂの外周面先端に設けられたネジ山と螺合するようにネジ山が設けられている。そして、ソケットキャップ６ｃと防水ソケット本体６ｂは、ソケットキャップ６ｃを防水ソケット本体６ｂに螺合して締め付け取り付けすることにより防水ソケット本体６ｂの締付け当接部６ｂｘの内径が小さくなるように形成されている。
【００４７】
パッキン６ａは、防水ソケット本体６ｂと弾性キャップ２との間の防水をとるものであり、ゴム材などで略リング状に形成されている。このパッキン６ａは、締付け当接部６ｂｘの内径が小さくなることにより同様に内径が小さくなる挿通締付け部６ａｘを有しており、この挿通締付け部６ａｘが弾性キャップ２の外周面に密着して挿通締付け部６ａｘと弾性キャップ２との防水がとれるようになっている。
【００４８】
次に、このように形成された防水ソケット６へのシリンダユニットと直菅ランプ１との取り付けを説明する。まず、第１の実施の形態で説明したようにシリンダユニットを直菅ランプ１に取り付ける。（以下、直菅ランプ１と一体になったシリンダユニットをシリンダ付きランプと称する）次に、ソケットキャップ６ｃ、パッキン６ａの順でシリンダ付きランプを挿通する。この作業を他方のソケットキャップ６ｃ、パッキン６ａについても行なう。この状態でシリンダ付きランプを防水ソケット本体６ｂに装着する。さらに、パッキン６ａを防水ソケット本体６ｂと弾性キャップ２との間に挟み込むようにしてソケットキャップ６ｃを防水ソケット本体６ｂに締め付ける。これにより防水ソケット本体６ｂの締付け当接部６ｂｘの内径が小さくなるのでこの内側にあるパッキン６ａの挿通締付け部６ａｘの内径が小さくなり、やがては挿通締付け部６ａｘが弾性キャップ２の外周面に密着する。これにより挿通締付け部６ａｘと弾性キャップ２との防水がとれるようになり取付けが完了する。
【００４９】
このものは挿通締付け部６ａｘが弾性キャップ２の外周面に密着して防水を取るので、既存の防水ソケット６を使用してシリンダユニットとの防水を行なうことができるものとなる。なお、このものにおいて口金当接部２ｃや巻き込み防止部２ｄは、そのどちらか、あるいはともにないものであってもかまわない。
【００５０】
次に、請求項９に対応した第２の実施の形態の応用例を説明する。図８は、図６を用いて説明した照明装置のシリンダユニットを変えたものであり、シリンダユニットとしては、図４〜図６を用いて説明したものを使用している。この照明装置は、図４〜図６を用いて説明したシリンダユニットを使用することにより、突起部２ｂと口金当接部２ｃの間に防水ソケット６の挿通締付け部６ａｘが配置されるようになっている。
【００５１】
従って、防水ソケット６の挿通締付け部６ａｘは、弾性キャップ２の突起部２ｂが存在して、締付け位置によっては厚みが変わってしまう箇所を締付けるものではなく、弾性キャップ２の厚みが一定の箇所を締付けるものとなるので、防水性能をより安定したものとできる。さらに、この応用例では、弾性キャップ２と直菅ランプ１の間に透光性シリンダ３が配置されていないので、透光性シリンダ３の直径が変わった場合においても、透光性シリンダ装着部２ａと突起部２ｂとの形状を変えた弾性キャップ２に変更するのみで、直菅ランプ１と防水ソケット６は変更なしに同じものが使用できるものとなる。
【００５２】
【発明の効果】
請求項１記載の発明にあっては、弾性キャップの内周面側に設けられた透光性シリンダ装着部により透光性シリンダ端部の外周面が嵌め込まれて透光性シリンダが固定され、さらに透光性シリンダ装着部に対して直菅ランプの軸芯方向に凸設された突起部が直菅ランプの外周に当接して透光性シリンダ装着部を支持するので、透光性シリンダと直菅ランプと弾性キャップとが一体化でき、直菅ランプと透光性シリンダとの間の隙間には、弾性キャップが介在しないで取付けられるものとなり直菅ランプと透光性シリンダとの隙間を小さくくできるものとなる。
【００５３】
請求項２記載の発明にあっては、請求項１に記載の効果を奏するうえに、透光性シリンダを弾性キャップに取り付けるさいの装着感の向上が図れるとともに、透光性シリンダと弾性キャップとを一体にしたときの全体の寸法を所定のものとすることができる。
【００５４】
請求項３記載の発明にあっては、請求項２に記載の効果を奏するうえに、口金部の外周よりもガラス管部の外周の方が大きな一般的な直菅ランプの挿入が行いやすいものとできる。
【００５５】
請求項４記載の発明にあっては、請求項３に記載の効果を奏するうえに、シリンダユニットを直菅ランプへ装着するさいの装着感の向上が図れる。
【００５６】
請求項５記載の発明にあっては、請求項４に記載の効果を奏するうえに、シリンダユニットを直菅ランプへ装着するさいに弾性キャップが不用意に外れないものとできる。
【００５７】
請求項６記載の発明にあっては、請求項５に記載の効果を奏するうえに、巻き込み防止部により口金当接部が巻き込まれることが阻止されるので、口金当接部と直菅ランプ１のガラス面との間に生じる口金当接部摩擦力は適正に維持される。
【００５８】
請求項７記載の発明にあっては、請求項１乃至６のいずれかに記載の効果を奏するうえに、直菅ランプの寿命末期などにフィラメントの温度が上昇しても熱に弱い透光性シリンダには熱が加わりにくいものとなる。
【００５９】
請求項８記載の発明にあっては、挿通締付け部が弾性キャップの外周面に密着して防水を取るので、既存の防水ソケットを使用してシリンダユニットとの防水を行なうことができるものとなる。
【００６０】
請求項９記載の発明にあっては、請求項８に記載の効果を奏するうえに、防水ソケットの挿通締付け部は、弾性キャップの突起部が存在して、締付け位置によっては厚みが変わってしまう箇所を締付けるものではなく、弾性キャップの厚みが一定の箇所を締付けるものとなるので、防水性能をより安定したものとできる。
【図面の簡単な説明】
【図１】本発明の第１の実施の形態に係るシリンダユニットが直菅ランプに取付けられた図で、一部を切り欠いた側面図である。
【図２】同上のシリンダユニットの第１の応用例を示す図で、シリンダユニットが直菅ランプに取付けられたときの一部を切り欠いた側面図である。
【図３】同上のシリンダユニットの第２の応用例を示す図で、シリンダユニットが直菅ランプに取付けられたときの一部を切り欠いた側面図である。
【図４】同上のシリンダユニットの第３の応用例を示す図で、シリンダユニットが直菅ランプに取付けられたときの一部を切り欠いた側面図である。
【図５】同上のシリンダユニットを直菅ランプに取付けるときの図で、図５（ａ）のものは取付け過程の斜視図、図５（ｂ）のものは取付け完了状態における斜視図である。
【図６】同上のシリンダユニットの弾性キャップを示す斜視図である。
【図７】本発明の第２の実施の形態に係る照明装置の一部を切り欠いた側面図である。
【図８】同上の照明装置の応用例を示す図で、照明装置の一部を切り欠いた側面図である。
【図９】第１の従来例に係る照明装置の要部側面図である。
【図１０】同上の照明装置のソケットにソケットホルダを装着したときの斜視図である。
【図１１】同上の照明装置のソケットを示す斜視図である。
【図１２】第２の従来例に係るシリンダユニットの分解斜視図である。
【図１３】同上のシリンダユニットの要部断面図である。
【符号の説明】
１      直菅ランプ
２      弾性キャップ
２ａ    透光性シリンダ装着部
２ｂ    突起部と
２ｃ    口金当接部
２ｄ    巻き込み防止部
３      透光性シリンダ
６      防水ソケット
６ａ    パッキン
６ｂ    防水ソケット本体
６ｃ    ソケットキャップ
６ａｘ  挿通締付け部
６ｂｘ  締付け当接部
【図１】
2005026025.tif 000003
【図２】
2005026025.tif 000004
【図３】
2005026025.tif 000005
【図４】
2005026025.tif 000006
【図５】
2005026025.tif 000007
【図６】
2005026025.tif 000008
【図７】
2005026025.tif 000009
【図８】
2005026025.tif 000010
【図９】
2005026025.tif 000011
【図１０】
2005026025.tif 000012
【図１１】
2005026025.tif 000013
【図１２】
2005026025.tif 000014
【図１３】
2005026025.tif 000015